(57)【要約】【課題】画像の表示方向を容易に変更可能なプロジェクタを提供する。【解決手段】筐体の上面には、プロジェクタ１に対して各種指示を行うための操作パネル２１が設けられており、操作パネル２１には、投写画像の表示方向を切り替えるための表示方向指定キー２１ａが含まれている。また、プロジェクタ１は、リモコン２２による遠隔操作も可能となっている。操作パネル２１と同様、リモコン２２にも表示方向指定キー２２ａが含まれている。ユーザは、表示方向指定キー２１ａ，２２ａを操作（押下）することにより、投写画像の上下反転や左右反転を直接的に指示することができる。【選択図】図１
2007225859.tif 000002
【特許請求の範囲】
【請求項１】
画像を投写するプロジェクタであって、
入力操作を行うための入力操作部と、
投写される前記画像の表示方向を変更する表示方向変更部と、
を備え、前記入力操作部は、前記表示方向の変更を、入力操作によって直接的に指示するための表示方向指示部を有し、前記表示方向変更部は、前記表示方向指示部に対する入力操作に連動して、前記表示方向を変更することを特徴とするプロジェクタ。
【請求項２】
請求項１に記載のプロジェクタであって、前記表示方向変更部は、前記表示方向指示部が操作される毎に、前記画像の表示方向を順次変更することを特徴とするプロジェクタ。
【請求項３】
請求項１に記載のプロジェクタであって、それぞれが異なる表示方向に対応付けられた複数の前記表示方向指示部を備え、前記表示方向変更部は、操作された表示方向指示部に対応した表示方向に変更することを特徴とするプロジェクタ。
【請求項４】
請求項１〜３のいずれか１項に記載のプロジェクタであって、前記表示方向変更部によって設定された前記表示方向を記憶する記憶部を備え、起動時には、前記記憶部に記憶されている表示方向で前記画像を表示することを特徴とするプロジェクタ。
【発明の詳細な説明】
【技術分野】
【０００１】
本発明は、画像を投写するプロジェクタに関する。
【背景技術】
【０００２】
光源ランプから射出された光を画像データに応じて変調し、スクリーン等に画像を投写するプロジェクタにおいて、机や台の上に通常の姿勢で載置して利用する以外に、天地を裏返した姿勢で天井に取り付け、この状態（以降、天吊の状態と呼ぶ）から画像を投写可能なプロジェクタが提案されている（例えば、特許文献１参照）。
【０００３】
また、プロジェクタは、反射型のスクリーンに対して、スクリーンの前面側（画像の鑑賞者と同じ側）から投写を行うフロント投写以外に、透過型のスクリーンに対して、スクリーンの背面側から投写を行うリア投写によっても、スクリーンの前面側にいる鑑賞者に対して画像を表示することができる。
【０００４】
プロジェクタを天吊で利用する場合に、鑑賞者が正しい向きで画像を視認できるようにするためには、通常の姿勢で投写する場合の画像を１８０°回転させて投写する必要がある。また、画像をリア投写する場合に、スクリーンの前面側の鑑賞者が正しい向きで画像を視認できるようにするためには、フロント投写する場合の画像を左右反転させて投写する必要がある。このため、上記のようなプロジェクタは、各種設定を行うためのメニュー画像を投写画像上に重畳して表示可能になっており、ユーザ（鑑賞者）は、当該メニューにより、プロジェクタの設置状態（姿勢）や投写状態（フロント投写／リア投写）に応じた表示方向を選択することができるようになっている。
【０００５】
【特許文献１】特開２０００−１２２１８０号公報
【発明の開示】
【発明が解決しようとする課題】
【０００６】
しかしながら、画像が不適当な方向で表示されている場合に、表示方向を正そうとしてメニューを表示させても、メニューも同様に不適当な方向で表示されることになるため、表示内容の読解が困難であった。さらに、上下左右を指定するための方向キーを用いたメニュー操作を要する場合には、メニューが不適当な方向で表示された状態では、指定すべき方向を直感的に認識することが困難となり、ユーザに混乱を与えてしまうという問題を有していた。
【０００７】
本発明は上記問題を鑑みてなされたものであり、その目的は、画像の表示方向を容易に変更可能なプロジェクタを提供することにある。
【課題を解決するための手段】
【０００８】
本発明のプロジェクタは、画像を投写するプロジェクタであって、入力操作を行うための入力操作部と、投写される前記画像の表示方向を変更する表示方向変更部とを備え、前記入力操作部は、前記表示方向の変更を、入力操作によって直接的に指示するための表示方向指示部を有し、前記表示方向変更部は、前記表示方向指示部に対する入力操作に連動して、前記表示方向を変更することを特徴とする。
【０００９】
このプロジェクタによれば、表示方向指示部に対する入力操作を行うことにより、表示方向変更部が、これに連動して画像の表示方向を変更するため、メニューを用いてユーザに表示方向を選択させる必要がなくなる。この結果、メニューが不適当な方向で表示されることによる不都合がなくなるため、画像の表示方向を容易に変更することが可能となる。なお、本明細書における画像の表示方向とは、投写される画像の反転状態や回転状態を示すものであり、画像が投写される位置を示すものではない。
【００１０】
このプロジェクタにおいて、前記表示方向変更部は、前記表示方向指示部が操作される毎に、前記画像の表示方向を順次変更するようにしてもよい。
【００１１】
このプロジェクタによれば、表示方向変更部は、表示方向指示部が操作される毎に、前記画像の表示方向を順次変更するため、表示方向指示部を１つ備えるだけで、画像を所望の方向で表示することが可能となる。このため、新たに表示方向指示部を備えることに伴う装置の複雑化を抑制することが可能となる。
【００１２】
このプロジェクタにおいて、それぞれが異なる表示方向に対応付けられた複数の前記表示方向指示部を備え、前記表示方向変更部は、操作された表示方向指示部に対応した表示方向に変更するようにしてもよい。
【００１３】
このプロジェクタによれば、それぞれが異なる表示方向に対応づけられた複数の表示方向指示部を備えるため、表示方向指示部を１回操作するだけで、所望の方向に変更することが可能となり、表示方向の変更がより容易になる。
【００１４】
このプロジェクタにおいて、前記表示方向変更部によって設定された前記表示方向を記憶する記憶部を備え、起動時には、前記記憶部に記憶されている表示方向で前記画像を表示することが望ましい。
【００１５】
このプロジェクタによれば、起動時に、前回設定された方向で画像を表示するため、起動する度に画像の表示方向を設定（変更）する必要がない。つまり、設置状態（姿勢）や投写状態（フロント投写／リア投写）を変更しない限り、表示方向を変更する必要がなくなるため、利便性が向上する。
【発明を実施するための最良の形態】
【００１６】
（第１実施形態）
以下、本発明の第１実施形態に係るプロジェクタについて、図面を参照して説明する。
図１は、本実施形態に係るプロジェクタを示す斜視図である。
図１に示すように、プロジェクタ１は、前面を覆うフロントケース２ａ、上面を覆うアッパーケース２ｂ、底面を覆うロアーケース２ｃ等からなる筐体で囲まれた構成を有している。筐体の前面には、画像（光学像）を投写する投写レンズ１６０が露出しており、筐体の背面には、外部の画像供給装置から画像データを受信するための接続端子（図示せず）が配設されている。
【００１７】
筐体の上面には、プロジェクタ１に対して各種指示を行うための入力操作部として、操作パネル２１が設けられている。操作パネル２１は、電源のオン・オフを行うための電源キーや、メニュー画像を合成表示するためのメニューキー、メニュー画像上でカーソル移動を行うための方向キー、入力ソースを切り替えるためのソースキー等、複数のキーを備えており、本実施形態の操作パネル２１は、さらに、投写画像の表示方向を切り替えるための表示方向指定キー２１ａを備えている。表示方向指定キー２１ａは、本発明の表示方向指示部に相当するものであり、表示方向指定キー２１ａを操作（押下）することにより、投写画像の上下反転や左右反転を指示することができる。また、本実施形態のプロジェクタ１は、リモコン２２による遠隔操作も可能となっている。リモコン２２も、本発明の入力操作部に相当するものであり、操作パネル２１と同様、表示方向指定キー２２ａを含む複数のキーを有している。リモコン２２が備える表示方向指定キー２２ａも本発明の表示方向指示部に相当する。
【００１８】
ここで、画像の表示方向について説明する。
図２（ａ）〜（ｄ）は、プロジェクタ１の設置状態及び投写状態を説明するための説明図であり、図３（ａ）〜（ｄ）は、画像の表示方向を説明するための説明図である。
図２（ａ）に示すように、プロジェクタ１を通常の姿勢で机等に載置して、反射型のスクリーンＳＣ１の前面側（画像の鑑賞者Ｖと同じ側）から、図３（ａ）に示すような画像をフロント投写した際に、鑑賞者Ｖが正しい向きで画像を視認できるものとする。ここで、図２（ｂ）に示すように、プロジェクタ１の天地を裏返して天吊の状態とし、同じ画像をフロント投写すると、画像が逆さまに表示されてしまう。このため、正しい向きで表示させるためには、図３（ｂ）に示すように、プロジェクタ１内で画像を１８０°回転、即ち画像を上下及び左右に反転させて投写する必要がある。
【００１９】
また、図２（ｃ）に示すように、プロジェクタ１を通常の姿勢で、透過型のスクリーンＳＣ２の背面側からリア投写する場合には、画像を左右に反転（図３（ｃ）参照）させ、図２（ｄ）に示すように、天吊の姿勢でリア投写する場合には、画像を上下反転（図３（ｄ）参照）させて投写する必要がある。このため、プロジェクタの設置状態（プロジェクタの姿勢）や投写状態（フロント投写／リア投写）が変更になった際には、操作パネル２１及びリモコン２２が備える表示方向指定キー２１ａ，２２ａのいずれかをユーザ（鑑賞者Ｖ）が操作（押下）することにより、投写される画像の表示方向を変更して、画像を正しい向きで表示させることができるようになっている。
【００２０】
図４は、プロジェクタ１の概略構成を示すブロック図である。
図４に示すように、プロジェクタ１は、画像の投写を行う画像投写部１０と、制御部２０と、上述した操作パネル２１及びリモコン２２と、リモコン信号受信部２３と、画像データ変換部２４と、画像データ処理部２５と、フレームメモリ２６とを有している。
【００２１】
まず、画像投写部１０について説明する。画像投写部１０は、光源１１１、３つの液晶ライトバルブ１４０Ｒ，１４０Ｇ，１４０Ｂ、上述した投写レンズ１６０、ライトバルブ駆動部１７０等によって構成されている。
図５は、画像投写部１０の構成をより詳細に示す構成図であり、光源１１１から射出された光がスクリーンＳＣに至るまでの光路を示している。
図５に示すように、画像投写部１０は、照明光学系１１０と、色光分離光学系１２０と、リレー光学系１３０と、光変調装置としての３つの液晶ライトバルブ１４０Ｒ，１４０Ｇ，１４０Ｂと、クロスダイクロイックプリズム１５０と、投写レンズ１６０とを備えている。
【００２２】
照明光学系１１０は、超高圧水銀ランプやメタルハライドランプ等の放電型光源ランプからなる光源１１１と、第１のレンズアレイ１１２と、第２のレンズアレイ１１３と、偏光変換素子１１４と、重畳レンズ１１５とを備えている。光源１１１から射出された光線束は、微小なレンズ１１２ａがマトリクス状に配置された第１のレンズアレイ１１２によって多数の微小な光線束に分割される。第２のレンズアレイ１１３及び重畳レンズ１１５は、分割された光線束のそれぞれが、照明対象である３つの液晶ライトバルブ１４０Ｒ，１４０Ｇ，１４０Ｂの全体を照射するように備えられている。このため、各光線束が液晶ライトバルブ１４０Ｒ，１４０Ｇ，１４０Ｂで重畳され、液晶ライトバルブ１４０Ｒ，１４０Ｇ，１４０Ｂの全体がほぼ均一に照明される。
【００２３】
偏光変換素子１１４は、光源１１１からの光を液晶ライトバルブ１４０Ｒ，１４０Ｇ，１４０Ｂで効率よく利用可能とするため、特定の偏光方向を有する偏光光に揃える機能を有している。照明光学系１１０を射出した偏光光は、色光分離光学系１２０に入射する。
【００２４】
色光分離光学系１２０は、第１のダイクロイックミラー１２１と、第１の反射ミラー１２２と、第２のダイクロイックミラー１２３とを備えており、照明光学系１１０から射出された光を、波長域の異なる３色の光に分離する。第１のダイクロイックミラー１２１は、略赤色の光を透過させるとともに、透過する光よりも短波長の光を反射する。第１のダイクロイックミラー１２１を透過した赤色光Ｒは、第１の反射ミラー１２２で反射されて赤色光用の液晶ライトバルブ１４０Ｒを照明する。
【００２５】
第１のダイクロイックミラー１２１で反射された光のうち、緑色光Ｇは、第２のダイクロイックミラー１２３によって反射されて緑色光用の液晶ライトバルブ１４０Ｇを照明する。また、青色光Ｂは、第２のダイクロイックミラー１２３を透過し、リレー光学系１３０を通過して、青色光用の液晶ライトバルブ１４０Ｂを照明する。
【００２６】
なお、青色光Ｂの経路は、他の色光の経路に比べて長くなってしまうことから、光線束の発散によって液晶ライトバルブ１４０Ｂへの照明効率が低下するのを抑制するために、青色光Ｂの経路には、リレー光学系１３０が設けられている。リレー光学系１３０は、入射側レンズ１３１と、第２の反射ミラー１３２と、リレーレンズ１３３と、第３の反射ミラー１３４と、射出側レンズ１３５とを備えている。色光分離光学系１２０から射出した青色光Ｂは、入射側レンズ１３１によってリレーレンズ１３３の近傍で収束し、射出側レンズ１３５に向けて発散する。
【００２７】
液晶ライトバルブ１４０Ｒ，１４０Ｇ，１４０Ｂのそれぞれは、一対の透明基板間に液晶が封入された液晶パネル１４１を備えており、液晶パネル１４１の入射側表面及び射出側表面には、それぞれ入射側偏光板１４２及び射出側偏光板１４３が貼り付けられている。入射側偏光板１４２及び射出側偏光板１４３は、それぞれ特定の偏光方向の偏光光のみを透過可能であり、入射側偏光板１４２は、偏光変換素子１１４によって揃えられた偏光方向の偏光光を透過可能となっている。このため、各液晶ライトバルブ１４０Ｒ，１４０Ｇ，１４０Ｂに入射する各色光の大部分は入射側偏光板１４２を透過して、液晶パネル１４１に入射する。
【００２８】
図６は、液晶パネル１４１の概略構成を示すブロック図であり、一方の透明基板（ＴＦＴ基板）の内面に形成された電気回路を示している。なお、他方の透明基板（対向基板）の内面には、ベタ膜状の共通電極が形成されている。
図６に示すように、ＴＦＴ基板１４１ａの内面には、画素領域１８０が形成されており、画素領域１８０には、それぞれ画素電極１８２、及び画素電極１８２の電位状態を制御する薄膜トランジスタ１８３を含む画素回路１８１（以降、単に画素１８１とも呼ぶ）がマトリクス状に配列されている。また、画素領域１８０には、Ｙ方向に沿って平行に配置された複数（ｍ本）のデータ線Ｘ１〜Ｘｍと、Ｘ方向に沿って平行に配置された複数（ｎ本）の走査線Ｙ１〜Ｙｎとが形成されている。画素回路１８１は、これらが交差する部位毎に形成されており、走査線Ｙ１〜Ｙｎは、薄膜トランジスタ１８３のゲート電極に、データ線Ｘ１〜Ｘｍは、薄膜トランジスタ１８３のソース電極線に接続されている。また、薄膜トランジスタ１８３のドレイン電極には、画素電極１８２が接続されている。
【００２９】
各画素１８１の画素電極１８２に、画像データに応じた駆動電圧が印加されると、液晶パネル１４１に入射した光は、共通電極と各画素電極１８２との電位差に応じて変調され、画素１８１毎に異なる偏光方向を有した偏光光となる。この偏光光のうち、射出側偏光板１４３を透過可能な偏光成分のみが液晶ライトバルブ１４０Ｒ，１４０Ｇ，１４０Ｂから射出される。つまり、液晶ライトバルブ１４０Ｒ，１４０Ｇ，１４０Ｂが、画像データに応じて、画素１８１毎に異なる透過率で入射光を透過させることによって、階調を有する光学像が色光毎に形成される。
【００３０】
ＴＦＴ基板１４１ａ上には、ライトバルブ駆動部１７０（図４参照）を構成するデータ線駆動回路１７１と走査線駆動回路１７２が形成されている。走査線駆動回路１７２は、前記走査線Ｙ１〜Ｙｎに接続され、複数の走査線Ｙ１〜Ｙｎの中から１本の走査線を順次選択する。データ線駆動回路１７１は、前記データ線Ｘ１〜Ｘｍに接続され、各データ線Ｘ１〜Ｘｍに画像データに応じた信号を供給する。走査線駆動回路１７２が１本の走査線を選択している期間中に、データ線駆動回路１７１が各データ線Ｘ１〜Ｘｍに画像データに応じた信号を供給すると、選択画素（選択された走査線に接続された横１列の画素群）に駆動電圧が印加され、これを全ての走査線Ｙ１〜Ｙｎで繰り返すことにより、画素領域１８０内の全ての画素１８１に画像データに応じた電圧が時分割で印加され、１画面（１フレーム）分の光学像が形成される。
【００３１】
図５に戻って、液晶ライトバルブ１４０Ｒ，１４０Ｇ，１４０Ｂから射出した各色光からなる光学像は、クロスダイクロイックプリズム１５０に入射する。クロスダイクロイックプリズム１５０は、各液晶ライトバルブ１４０Ｒ，１４０Ｇ，１４０Ｂから射出された各色の光学像を、画素毎に合成してカラー画像を表す光学像を形成する。クロスダイクロイックプリズム１５０によって合成された光学像は、投写レンズ１６０によってスクリーンＳＣに拡大投写され、画像として表示される。
【００３２】
図４に戻って、制御部２０は、ＣＰＵ（Central Processing Unit）２０ａ、フラッシュＲＯＭ（Read Only Memory）等からなる記憶部としてのＲＯＭ２０ｂ、各種データの一時記憶等に用いられるＲＡＭ（Random Access Memory）２０ｃ、及びその他の電気回路等を備え、ＣＰＵ２０ａがＲＯＭ２０ｂに記憶されている制御プログラムに従って動作することにより、プロジェクタ１の動作を統括制御する。また、ＲＯＭ２０ｂは、上記制御プログラムの他に、画像の表示方向を表す表示方向データを記憶する。表示方向データは、４つの表示方向（図３参照）のいずれか１つを表すデータであり、初期的（製品出荷段階）には、通常の姿勢でフロント投写した際に画像が正しい向きとなる方向（図３（ａ）参照）に設定されている。その後、表示方向を変更する度に、変更後の表示方向を表す表示方向データがＲＯＭ２０ｂに記憶される。
【００３３】
操作パネル２１及びリモコン２２は、前述したようにプロジェクタ１に対して各種指示を行うためのものであり、ユーザが操作パネル２１を操作すると、操作パネル２１は、ユーザの操作内容に応じた操作信号を制御部２０に出力する。また、ユーザがリモコン２２を操作すると、リモコン２２は、ユーザの操作内容に応じた赤外線の操作信号を発し、リモコン信号受信部２３がこれを受信して制御部２０に伝達する。
【００３４】
画像データ変換部２４は、外部の図示しない画像供給装置（画像再生装置やパーソナルコンピュータ等）から各種形式の画像データを入力可能となっており、入力された画像データを、制御部２０の指示に基づいて、画像データ処理部２５で処理可能な形式の画像データに変換し、画像データ処理部２５に出力する。
【００３５】
画像データ処理部２５は、入力される画像データをフレームメモリ２６に順次記憶（格納）するとともに、記憶した画像データを読み出すことができる。さらに、制御部２０の指示に基づいて、読み出した画像データに対して、解像度を液晶ライトバルブ１４０Ｒ，１４０Ｇ，１４０Ｂの解像度（画素数）に合わせる解像度変換や、輝度調整、コントラスト調整、シャープネス調整等の各種画質調整、或いは、メニューやメッセージ等のＯＳＤ（オンスクリーンディスプレイ）画像を合成する処理を施し、処理後の画像データをライトバルブ駆動部１７０に出力する。ライトバルブ駆動部１７０に出力される画像データは、各画素１８１の透過率を定める複数の画素値で構成されたデータ列であり、ライトバルブ駆動部１７０は、このデータ列に基づいて液晶ライトバルブ１４０Ｒ，１４０Ｇ，１４０Ｂを駆動する。
【００３６】
ここで、制御部２０は、ライトバルブ駆動部１７０、即ちデータ線駆動回路１７１及び走査線駆動回路１７２に各種タイミング信号を供給するとともに、各駆動回路１７１，１７２の走査方向を制御するための走査方向制御信号ＤＩＲＸ，ＤＩＲＹを、データ線駆動回路１７１及び走査線駆動回路１７２にそれぞれ供給する（図６参照）。例えば、走査線駆動回路１７２は、入力された走査方向制御信号ＤＩＲＹがＬレベルの場合、Ｙ１，Ｙ２，…Ｙｎの順で走査線を選択し、走査方向制御信号ＤＩＲＹがＨレベルの場合には、Ｙｎ，Ｙｎ−１，…Ｙ１の順で走査線を選択する。また、データ線駆動回路１７１は、入力された走査方向制御信号ＤＩＲＸがＬレベルの場合、順次入力される画素値をＸ１，Ｘ２，…Ｘｍの順に対応付けてデータ線にそれぞれ供給し、走査方向制御信号ＤＩＲＸがＨレベルの場合には、順次入力される画素値をＸｍ，Ｘｍ−１，…Ｘ１の順に対応付けてデータ線にそれぞれ供給する。このため、走査方向制御信号ＤＩＲＸの電位レベルを変更することで、画像が左右反転し、走査方向制御信号ＤＩＲＹの電位レベルを変更することで、画像が上下反転する。また、双方の走査方向制御信号ＤＩＲＸ，ＤＩＲＹの電位レベルを変更することにより、画像は上下左右に反転し、画像を１８０°回転した状態とすることができる。
【００３７】
次に、プロジェクタ１の動作について説明する。
図７は、プロジェクタ１の起動時の動作処理を説明するためのフローチャートである。プロジェクタ１は、電源投入後、各種初期化動作を行った後に、図７に示すフローに従って動作する。
図７に示すように、ステップＳ２０１では、制御部２０は、ＲＯＭ２０ｂに記憶されている表示方向データを読み出し、ステップＳ２０２では、読み出した表示方向データに基づいて、表示方向を設定する。具体的には、制御部２０は、読み出した表示方向データに基づいた走査方向制御信号ＤＩＲＸ，ＤＩＲＹをライトバルブ駆動部１７０に出力する。
【００３８】
図８は、走査方向制御信号ＤＩＲＸ，ＤＩＲＹと表示方向との対応を表す説明図である。
図８に示すように、表示方向データが通常の姿勢でのフロント投写に適する表示方向Ａ（図３（ａ）参照）を表す場合には、制御部２０は、走査方向制御信号ＤＩＲＸ，ＤＩＲＹの双方をＬレベルに設定し、表示方向データが天吊でのフロント投写に適する表示方向Ｂ（図３（ｂ）参照）を表す場合には、走査方向制御信号ＤＩＲＸ，ＤＩＲＹの双方をＨレベルに設定することにより、画像を上下及び左右方向に反転させる。また、表示方向データが通常の姿勢でのリア投写に適する表示方向Ｃ（図３（ｃ）参照）を表す場合には、走査方向制御信号ＤＩＲＸをＨレベル、走査方向制御信号ＤＩＲＹをＬレベルに設定して、画像を左右方向に反転させ、表示方向データが天吊でのリア投写に適する表示方向Ｄ（図３（ｄ）参照）を表す場合には、走査方向制御信号ＤＩＲＸをＬレベル、走査方向制御信号ＤＩＲＹをＨレベルに設定して、画像を上下方向に反転させる。
【００３９】
図７に戻って、ステップＳ２０３では、制御部２０は、画像データ変換部２４や画像データ処理部２５に指示をして、外部から入力される画像データに対して各種画像処理等を行わせる。これにより、画像投写部１０による画像の投写が開始され、スクリーンＳＣには、ＲＯＭ２０ｂに記憶されていた表示方向データに基づいた向きで画像が表示される。
【００４０】
図９は、表示方向を変更する際の動作処理を説明するためのフローチャートである。
制御部２０は、画像を投写している間、操作パネル２１やリモコン信号受信部２３から入力される操作信号を常時監視しており、ユーザにより入力操作が行われると、操作信号によってこれを検知し、当該操作信号に応じた動作を行う。
【００４１】
図９に示すように、ステップＳ３０１では、制御部２０は、操作パネル２１の表示方向指定キー２１ａ、或いはリモコン２２の表示方向指定キー２２ａが操作されたか否かを判断する。表示方向指定キー２１ａ，２２ａが操作された場合には、これに連動してステップＳ３０２に移行し、操作されない場合には、当該ステップＳ３０１を繰り返す。
【００４２】
ステップＳ３０２では、制御部２０は、画像の表示方向の変更を行う。具体的には、それまで設定されていた表示方向がＡ（図８参照）である場合にはＢに、ＢであればＣに、ＣであればＤに、ＤであればＡに変更すべく、対応する走査方向制御信号ＤＩＲＸ，ＤＩＲＹをライトバルブ駆動部１７０に出力し、新たな表示方向で画像を投写する。
【００４３】
ステップＳ３０３では、制御部２０は、再び表示方向指定キー２１ａ，２２ａが操作されたか否かを判断し、操作された場合には、ステップＳ３０２に戻って、再度表示方向を変更し、表示方向指定キー２１ａ，２２ａが操作されていない場合には、ステップＳ３０４に移行する。
【００４４】
ステップＳ３０４では、制御部２０は、表示方向指定キー２１ａ，２２ａが操作されない状態で所定時間（例えば５秒）が経過したか否かを判断する。所定時間が経過していなければステップＳ３０３に戻り、所定時間が経過していればステップＳ３０５に移行する。
【００４５】
表示方向指定キー２１ａ，２２ａが操作されないまま所定時間が経過し、ステップＳ３０５に移行した場合には、制御部２０は、ユーザが表示方向を確定したものと判断して、確定した表示方向を表す表示方向データをＲＯＭ２０ｂに記憶させて、処理を終了する。
【００４６】
プロジェクタ１は、上記のように動作するため、ユーザは、表示方向指定キー２１ａ，２２ａを繰り返し操作することにより、表示方向を、…→Ａ→Ｂ→Ｃ→Ｄ→Ａ→…と循環的に変更することができ、所望の表示方向となった状態で操作を止めることで、当該表示方向に確定することができる。また、表示方向を確定した後、当該表示方向を表す表示方向データをＲＯＭ２０ｂに書き込むとともに、起動時には、書き込まれた表示方向データに基づいた表示方向に設定するため、設定した表示方向が次回起動時に再現されることになる。
【００４７】
なお、本実施形態では、制御部２０が走査方向制御信号ＤＩＲＸ，ＤＩＲＹを出力し、ライトバルブ駆動部１７０（データ線駆動回路１７１及び走査線駆動回路１７２）が当該走査方向制御信号ＤＩＲＸ，ＤＩＲＹに基づいて、液晶ライトバルブ１４０Ｒ，１４０Ｇ，１４０Ｂを駆動することにより、投写画像の表示方向を変更しているため、制御部２０及びライトバルブ駆動部１７０が、本発明の表示方向変更部に相当する。
【００４８】
以上説明したように、本実施形態のプロジェクタ１によれば、以下の効果を得ることができる。
（１）本実施形態のプロジェクタ１によれば、ユーザが行う表示方向指定キー２１ａ，２２ａの入力操作に連動して、制御部２０が画像の表示方向を変更するため、ユーザは、表示方向の変更を直接的に指示することが可能となっている。この結果、メニューを用いてユーザに表示方向を選択させる必要がなくなり、メニューが不適当な方向で表示されることによる不都合がなくなるため、画像の表示方向を容易に変更することが可能となる。
【００４９】
（２）本実施形態のプロジェクタ１によれば、制御部２０は、表示方向指定キー２１ａ，２２ａが操作される毎に、画像の表示方向を、…→Ａ→Ｂ→Ｃ→Ｄ→Ａ→…と順次変更するため、表示方向指定キー２１ａ，２２ａを１つ（操作パネル２１及びリモコン２２に１つずつ）備えるだけで、画像を所望の方向で表示することが可能となる。このため、表示方向を指定するための手段（表示方向指定キー２１ａ，２２ａ）を新たに備えたにも拘わらず、これに伴う装置の複雑化を最小限に抑制することが可能となる。
【００５０】
（３）本実施形態のプロジェクタ１によれば、設定された表示方向をＲＯＭ２０ｂに記憶するとともに、次回起動時には、記憶された表示方向で画像を表示するため、起動する度に画像の表示方向を設定する必要がない。つまり、設置状態（プロジェクタ１の姿勢）や投写状態（フロント投写／リア投写）を変更しない限り、表示方向を変更する必要がなくなるため、利便性が向上する。
【００５１】
（第２実施形態）
以下、本発明の第２実施形態に係るプロジェクタについて、図面を参照して説明する。
本実施形態のプロジェクタは、第１実施形態のプロジェクタと同一の基本構成を有しているが、表示方向を変更する際の動作が異なっている。
図１０は、本実施形態に係るプロジェクタにおいて、表示方向を変更する際の動作処理を説明するためのフローチャートである。
図１０に示すように、ステップＳ４０１では、制御部２０は、操作パネル２１の表示方向指定キー２１ａ、或いはリモコン２２の表示方向指定キー２２ａが操作されたか否かを判断する。表示方向指定キー２１ａ，２２ａが操作された場合には、これに連動してステップＳ４０２に移行し、操作されない場合には、当該ステップＳ４０１を繰り返す。
【００５２】
ステップＳ４０２では、制御部２０は、画像の表示方向を循環的に変更させる。具体的には、投写される画像の表示方向が、所定時間（例えば３秒）間隔で、…→Ａ→Ｂ→Ｃ→Ｄ→Ａ→…と自動的に切り替わるように、対応する走査方向制御信号ＤＩＲＸ，ＤＩＲＹ（図８参照）を順次ライトバルブ駆動部１７０に出力する。
【００５３】
ステップＳ４０３では、制御部２０は、再び表示方向指定キー２１ａ，２２ａが操作されたか否かを判断し、操作された場合には、ステップＳ４０４に移行し、表示方向指定キー２１ａ，２２ａが操作されていない場合には、ステップＳ４０３を繰り返す。
【００５４】
表示方向指定キー２１ａ，２２ａが操作されてステップＳ４０４に移行した場合には、制御部２０は、表示方向指定キー２１ａ，２２ａが操作された時点で表示されていた画像の表示方向をユーザが選定したものと判断して、以降、当該表示方向で画像が投写されるように走査方向制御信号ＤＩＲＸ，ＤＩＲＹを固定させることにより、表示方向を設定する。その後、ステップＳ４０５では、その表示方向を表す表示方向データをＲＯＭ２０ｂに記憶させて、処理を終了する。
【００５５】
以上説明したように、本実施形態のプロジェクタ１によれば、第１実施形態の効果（１）と同様の効果を得ることができる。
また、本実施形態のプロジェクタ１によれば、制御部２０は、画像の表示方向を、…→Ａ→Ｂ→Ｃ→Ｄ→Ａ→…と所定時間間隔で順次変更し、再度表示方向指定キー２１ａ，２２ａが操作されることにより、表示方向を確定させている。このため、第１実施形態と同様、表示方向指定キー２１ａ，２２ａを１つ（操作パネル２１及びリモコン２２に１つずつ）備えるだけで、画像を所望の方向で表示することが可能となる。このため、表示方向を指定するための手段（表示方向指定キー２１ａ，２２ａ）を新たに備えたにも拘わらず、これに伴う装置の複雑化を最小限に抑制することが可能となる。
【００５６】
（変形例）
なお、本発明の実施形態は、以下のように変更してもよい。
前記第１実施形態では、操作パネル２１及びリモコン２２に、それぞれ１つの表示方向指定キー２１ａ，２２ａを備えているが、操作パネル２１及びリモコン２２の少なくともいずれか一方に、各表示方向（Ａ〜Ｄ）に対応づけられた複数（前記実施形態では４つ）の表示方向指定キーを備えるようにして、操作された表示方向指定キーに応じて、表示方向を変更するようにしてもよい。
【００５７】
図１１は、上記変形例に係るリモコンを示す平面図である。
図１１に示すように、リモコン２２は、各表示方向Ａ〜Ｄに対応付けられた４つの表示方向指定キー２２ａ〜２２ｄを備えており、操作された表示方向指定キー２２ａ〜２２ｄに応じて異なる操作信号を発信するようになっている。制御部２０は、リモコン信号受信部２３を通じて入力されるこの操作信号から、いずれのキーが操作されたかを判断し、操作されたキーに応じた走査方向制御信号ＤＩＲＸ，ＤＩＲＹをライトバルブ駆動部に出力する。このプロジェクタ１によれば、表示方向指示キーを１回操作するだけで、所望の方向に変更することが可能となり、表示方向の変更がより容易になる。なお、各表示方向指定キー２２ａ〜２２ｄの近傍には、各々に対応付けられた表示方向を表す表記（フロント、フロント・天吊、リア、リア・天吊）が付されており、所望の表示方向にするために操作すべきキーを容易に知ることが可能となっている。
【００５８】
また、表示方向指示部としては、押下操作を行うキーに限られず、回動操作を行うロータリースイッチ２２ｅ（図１２参照）や、摺動操作を行うスライドスイッチ（図示せず）等を用いることも可能であり、スイッチの回動状態（角度）や摺動状態（位置）によって表示方向を選択できるようにしてもよい。この場合、ユーザは、スイッチの状態を見ることによって、現在設定されている表示方向を認識することが可能となる。
【００５９】
また、前記実施形態では、ライトバルブ駆動部１７０のＸ方向及びＹ方向の走査方向を変更することで、画像の表示方向を変更しているが、表示方向の変更は当該方法に限られず、例えば、画像データをフレームメモリ２６に格納する際に、フレームメモリ２６のアドレス空間に対するデータの割り当て方向を反転させるようにしてもよいし、画像データ処理部２５においてデータ配列を反転させる処理を行ってもよい。また、Ｘ方向とＹ方向とで、これらの方法を使い分けるようにしてもよい。
【００６０】
前記実施形態では、表示方向を変更することにより、画像を上下、左右、或いは上下左右に反転させた状態にすることが可能になっているが、これ以外に、例えば、画像を所定の角度（例えば、９０°や２７０°等）回転させた状態とすることができるようにしてもよい。これによれば、横置きと縦置きとが可能なプロジェクタ１において、その設置状態に応じた画像を表示することが可能となる。
【００６１】
前記実施形態のプロジェクタ１に、プロジェクタ１の設置状態（姿勢）を検知可能な姿勢検知手段（例えば、重力センサ）を備え、表示方向を変更する際に、当該姿勢検知手段による検知結果を参照するようにしてもよい。これによれば、表示方向指定キー２１ａ，２２ａによってフロント投写かリア投写かをユーザに選択させるだけで、所望の表示方向に変更することが可能となり、表示方向の変更がさらに容易になる。
【００６２】
前記実施形態では、透過型の液晶ライトバルブ１４０Ｒ，１４０Ｇ，１４０Ｂを用いて光源光の変調を行っているが、反射型の液晶ライトバルブ等、反射型の光変調装置を用いることも可能である。また、入射した光の出射方向を、画素としてのマイクロミラー毎に制御することにより、光源から出射した光を変調する微小ミラーアレイデバイス等を用いることもできる。また、光源１１１としては、放電型光源ランプに限られず、ＬＥＤ（発光ダイオード）からなるＬＥＤ光源等、他の光源を用いてもよい。
【図面の簡単な説明】
【００６３】
【図１】第１実施形態に係るプロジェクタを示す斜視図。
【図２】（ａ）〜（ｄ）は、プロジェクタの設置状態及び投写状態を説明するための説明図。
【図３】（ａ）〜（ｄ）は、画像の表示方向を説明するための説明図。
【図４】プロジェクタの概略構成を示すブロック図。
【図５】画像投写部の構成をより詳細に示す構成図。
【図６】液晶パネルの概略構成を示すブロック図。
【図７】プロジェクタの起動時の動作処理を説明するためのフローチャート。
【図８】走査方向制御信号と表示方向との対応を表す説明図。
【図９】表示方向を変更する際の動作処理を説明するためのフローチャート。
【図１０】第２実施形態に係るプロジェクタが表示方向を変更する際の動作処理を説明するためのフローチャート。
【図１１】変形例に係るリモコンを示す平面図。
【図１２】変形例に係るリモコンを示す平面図。
【符号の説明】
【００６４】
１…プロジェクタ、１０…画像投写部、２０…制御部、２１…操作パネル、２２…リモコン、２１ａ，２２ａ…表示方向指定キー、２３…リモコン信号受信部、２４…画象データ変換部、２５…画像データ処理部、２６…フレームメモリ、１１１…光源、１４０Ｒ，１４０Ｇ，１４０Ｂ…液晶ライトバルブ、１６０…投写レンズ、１７０…ライトバルブ駆動部、１７１…データ線駆動回路、１７２…走査線駆動回路。
【図１】
2007225859.tif 000003
【図２】
2007225859.tif 000004
【図３】
2007225859.tif 000005
【図４】
2007225859.tif 000006
【図５】
2007225859.tif 000007
【図６】
2007225859.tif 000008
【図７】
2007225859.tif 000009
【図８】
2007225859.tif 000010
【図９】
2007225859.tif 000011
【図１０】
2007225859.tif 000012
【図１１】
2007225859.tif 000013
【図１２】
2007225859.tif 000014